(57)【要約】【課題】直前に撮影した画像が消去されるなど電子撮像装置での操作によっては直前に撮影された画像の内容が把握できなくなってしまう場合がある。このような状況が発生した場合に、直前に撮影された画像に付加情報を関連付けて記録する操作を行うと意図しない画像に関連付けて誤って付加情報を記録してしまう。【解決手段】操作機器上のボタン構成を変更することで誤って付加情報を記録してしまうことを防ぐ。【選択図】図１
2017085213.tif 000002
【特許請求の範囲】
【請求項１】
外部より画像属性情報を受信するための受信手段と、
前記受信手段によって受信した画像属性情報を、記録済みの画像情報に付加するか
次に記録される画像情報へ付加するかの動作モードを切り替えるモード切替手段と、
前記受信手段によって画像属性情報を取得したとき、それが電源投入後最初の受信であったかどうかを判別する受信履歴判別手段と、
前記受信手段によって画像属性情報を取得したとき、すでに記録済みの画像情報が存在するかどうかを判別する画像情報記録状態判別手段と、
前記受信履歴判別手段と画像情報記録状態判別手段による判別に応じて前記切り替え手段によるモード切替を行う自動モード選択手段を持つことを特徴とする画像撮影記録装置。
【請求項２】
前記自動モード選択手段は、前記受信履歴判別手段による判別結果が電源投入後最初の受信であり、さらに前記画像情報記録状態判別手段による判別結果が記録済み画像情報が存在する場合、記録済みの画像情報に付加するモードへ前記モード切替手段によって切り替えることを特徴とする請求項１に記載の画像撮影記録装置。
【請求項３】
前記記録済み画像とは、記録済み画像情報と記録中の画像情報の両方を含むことを特徴とする請求項１又は請求項２に記載の画像撮影記録装置。
【請求項４】
前記記録済み画像とは、記録中の画像情報を含まないこと特徴とする請求項１又は請求項２に記載の画像撮影記録装置。
【請求項５】
前記受信手段は、画像属性情報に付加されて送信される強制モード情報を受信することを特徴とする請求項１乃至請求項４の何れか一項に記載の画像撮影記録装置。
【請求項６】
前記自動モード選択手段は、前記受信手段によって強制モード情報を受信した場合、強制モード情報に応じたモード切替を行うことを特徴とする請求項５に記載の画像撮影記録装置。
【請求項７】
前記自動モード選択手段によって設定されたモード設定状態を外部へ送信可能な送信手段を持つことを特徴とする請求項１乃至請求項６の何れか一項に記載の画像撮影記録装置。
【請求項８】
生成した画像属性情報を外部機器へ送信する送信手段と、
外部機器における画像属性情報を付加する動作モードの設定情報を取得するモード情報取得手段と、
前記送信手段によって送信を行うとき、前回の送信時に前記モード情報取得手段によって取得した動作モード設定と現在の動作モード設定が異なる場合、異なることを示す表示を行う表示手段を持つことを特徴とする画像属性情報生成装置。
【請求項９】
前記表示手段による表示が行われた場合、前記画像属性情報に付加して動作モードに関する情報を送信することが可能な請求項８に記載の画像属性情報生成装置。
【請求項１０】
ユーザによって前記現在の動作モードと、前記現在のモードと異なるモードを選択することが可能な選択手段を持ち、前記現在のモードと異なるモードが選択された場合に前記動作モードに関する情報として前記現在のモードと異なるモード情報を送信する請求項９に記載の画像属性情報生成装置。
【請求項１１】
前記電源投入後とは、撮影可能なモードが起動されるタイミングであることを特徴とする請求項１乃至請求項７の何れか一項に記載の画像撮影記録装置。
【請求項１２】
前記撮影可能なモードとは、スタンバイモードを除くことを特徴とする請求項１１に記載の画像撮影記録装置。
【発明の詳細な説明】
【技術分野】
【０００１】
本発明は、記録媒体に記録された画像に関連付けて属性情報を記録する画像管理装置において、画像に関連づけて記録する属性情報の編集および設定を行う方法に関する。
【背景技術】
【０００２】
近年、小型軽量なメモリカードに撮影した画像を記録するデジタルスチルカメラやデジタルビデオカメラなどの電子撮像装置が普及している。このような電子撮像装置は多機能化されており撮影画像だけでなく撮影した画像に関連付けて様々な属性情報を記録することもできるようになっている（特許文献１）。例えば、撮影した画像と共に撮影者情報、撮影場所情報、コメントなどの文字情報を記録することができる。撮影した画像に関連付けた属性情報は、例えば、編集作業を行う際に目的の画像を検索するための情報として用いられている。
【０００３】
一般的に属性情報は撮影前にコンピュータを用いて編集しメモリカードに記録しておく。そして、このメモリカードを電子撮像装置に装着し、メモリカードから属性情報を読み出し撮影した画像に関連付けて読み出した属性情報を記録する。読み出された属性情報または撮影した画像に関連付けて記録された属性情報は、電子撮像装置では簡単な操作で追加、加工修正することはできない。即ち、属性情報の変更処理を簡単に行うにはコンピュータが必要である。しかしながら、コンピュータを利用するのは携帯性が低く、メモリカードを取り外す操作が煩わしいという問題があった。
【０００４】
一方、コンピュータの分野ではタッチパネル式の表示および入力部を持った携帯可能なコンピュータとしてタブレットＰＣが普及している。タブレットＰＣは無線機能を持っているものが多くあり、様々なデータを無線により転送することが可能となっている。また、携帯電話の分野でもタッチパネル式の表示および入力部と無線機能を持ったスマートフォンが普及しており、同様に無線によりデータを転送することが可能となっている。
【０００５】
そこで、特許文献２には、画像撮像装置に無線機能を搭載し、携帯性に優れたタブレットＰＣやスマートフォンなどで編集した属性情報を無線を使用して画像撮像装置に転送することで属性情報の変更処理が容易に行えることが開示されている。
【０００６】
この中では、すでに記録されてる画像に属性情報を関連付けるのかこれから撮影しようとしている画像に属性情報を関連付けて記録するのか選択する手段は電子撮像装置上での操作で行われている。これは、慌ただしい撮影現場では煩わしい作業であり、かつ誤操作に繋がる恐れがあるという問題があった。また、属性情報を関連付ける画像を選択してから、タブレットＰＣなどで属性情報を編集し、電子撮像装置に転送し記録するという一連の処理の間に次の撮影を開始することができないという問題もあった。そこで、電子撮像装置上での操作ではなくタブレットＰＣで直前に記録した画像に属性情報を関連づけるのかこれから撮影しようとしている画像に関連づけるのかを選択して属性情報を電子撮像装置に転送する画像管理装置が提案されている。
【先行技術文献】
【特許文献】
【０００７】
【特許文献１】特開２００４−２７３０７６号公報
【特許文献２】特開２００３−１８８９５０号公報
【発明の概要】
【発明が解決しようとする課題】
【０００８】
しかしながら、上記従来例では、慌ただしい撮影現場での誤操作を防止するものではなかった。
【０００９】
本発明は、上記課題を鑑み、ユーザが、意図しない画像に誤って属性情報を関連付けて記録してしまうことを防ぐことのできる画像管理装置を提供することを目的とする。
【課題を解決するための手段】
【００１０】
上記の目的を達成するために、本発明によれば、
画像撮影記録装置において、
外部より画像属性情報を受信するための受信手段と、
前記受信手段によって受信した画像属性情報を、記録済みの画像情報に付加するか
次に記録される画像情報へ付加するかの動作モードを切り替えるモード切替手段と、
前記受信手段によって画像属性情報を取得したとき、それが電源投入後最初の受信であったかどうかを判別する受信履歴判別手段と、
前記受信手段によって画像属性情報を取得したとき、すでに記録済みの画像情報が存在するかどうかを判別する画像情報記録状態判別手段と、
前記受信履歴判別手段と画像情報記録状態判別手段による判別に応じて前記切り替え手段によるモード切替を行う自動モード選択手段を持つことを特徴としており、
属性情報送信時のタイミングに応じて、自動的に属性情報を付加するモードを切り替え、ユーザーが意図した画像への情報付加を自動的に行うことを可能としている。
【００１１】
さらに本発明によれば、
前記自動モード選択手段は、前記受信履歴判別手段による判別結果が電源投入後最初の受信であり、さらに前記画像情報記録状態判別手段による判別結果が記録済み画像情報が存在する場合、記録済みの画像情報に付加するモードへ前記モード切替手段によって切り替えることを特徴としており、より確実にユーザーの操作意図を反映することが可能となっている。
【００１２】
さらに本発明によれば、
前記記録済み画像とは、記録済み画像情報と記録中の画像情報の両方を含むことを特徴としており、動画像情報を撮影している場合のタイミング調整が可能となっている。
【００１３】
さらに本発明によれば、
前記記録済み画像とは、記録中の画像情報を含まないこと特徴としており、動画像情報を撮影している場合のタイミング調整の別の手段を提供している。
【００１４】
さらに本発明によれば、
前記受信手段は、画像属性情報に付加されて送信される強制モード情報を受信することを特徴としており、自動設定以外の動作をユーザーが希望した場合の情報取得を可能としている。
【００１５】
さらに本発明によれば、
前記自動モード選択手段は、前記受信手段によって強制モード情報を受信した場合、強制モード情報に応じたモード切替を行うことを特徴としており、自動設定以外の動作をユーザーが希望した場合、希望した動作モードに応じたモード切替を可能としている。
【００１６】
さらに本発明によれば、
前記自動モード選択手段によって設定されたモード設定状態を外部へ送信可能な送信手段を持つことを特徴としており、外部機器へ現在の設定モード情報を送信することによって、外部機器を操作しているユーザーへの状態情報を通知することが可能となっている。
【００１７】
さらに本発明によれば、
画像属性情報生成装置において
生成した画像属性情報を外部機器へ送信する送信手段と
外部機器における画像属性情報を付加する動作モードの設定情報を取得するモード情報取得手段と、前記送信手段によって送信を行うとき、前回の送信時に前記モード情報取得手段によって取得した動作モード設定と現在の動作モード設定が異なる場合、異なることを示す表示を行う表示手段を持つことを特徴としており、ユーザーが意図しない動作にて画像属性情報を受信側が処理することを防止することが可能となっている。
【００１８】
さらに本発明によれば、
前記表示手段による表示が行われた場合、前記画像属性情報に付加して動作モードに関する情報を送信することが可能となっており、ユーザーが意図しない動作にて画像属性情報を受信側が処理しようとしている場合、受信側へ情報を通知することが可能となっいる。
【００１９】
さらに本発明によれば、
ユーザによって前記現在の動作モードと、前記現在のモードと異なるモードを選択することが可能な選択手段を持ち、前記現在のモードと異なるモードが選択された場合に前記動作モードに関する情報として前記現在のモードと異なるモード情報を送信することが可能となっており、ユーザーが意図しない動作にて画像属性情報を受信側が処理しようとしている場合、受信側の動作モードを切り替えることが可能となっている。
【発明の効果】
【００２０】
本発明に係る画像属性情報生成装置によれば、すでに記録されてる画像に属性情報を関連付けるのかこれから撮影しようとしている画像に属性情報を関連付けて記録するのか、というユーザーの使い方に応じて、自動的に属性情報を付加する画像を選択することが可能となり、慌ただしい撮影現場での誤操作を防止することが可能となっている。
【図面の簡単な説明】
【００２１】
【図１】デジタルビデオカメラ１００のハードウェアブロック図である。
【図２】携帯端末２００のハードウェアブロック図である。
【図３】デジタルビデオカメラ１００の属性情報受信時のフローチャートである。
【図４】デジタルビデオカメラ１００の属性情報処理モード送信時のフローチャートである。
【図５】携帯端末２００の属性情報設定画面の表示例である。
【図６】携帯端末２００の属性情報送信時のフローチャートである。
【発明を実施するための形態】
【００２２】
以下、本発明を実施するための形態を図面に基づいて説明する。
【００２３】
図１と図２に、本発明を適用可能な画像管理装置の構成の一例を示す。画像管理装置は、図１に示すデジタルビデオカメラ１００（カムコーダ）と図２に示す携帯端末（２００）を用いて構成可能なものである。図１において、制御部１０に対して以下の各構成部分が接続される。画像圧縮／伸長部１１、撮像部１２、画像処理部１３、無線通信部１４、表示部１５、操作部１６、ＲＯＭ１７、ＲＡＭ１８、着脱可能記録媒体Ｉ／Ｆ（１９）。制御部と各構成部は互いにデータのやり取りを行うことができるようにされている。
【００２４】
制御部１０は、デジタルビデオカメラ１００のシステム全般を制御するシステム制御部である。制御部１０はＲＯＭ１７に記録されたプログラムをＲＡＭ１８に展開して実行することで、各構成部を制御し、後述のフローチャートを実行する。ＲＯＭ１７は、不揮発性の記録媒体であり、制御部１０が実行するプログラムを記憶している。ＲＡＭ１８は制御部１０のワークメモリとして用いられる揮発性の記録媒体である。
【００２５】
また、ＲＡＭ１８は撮像部１２で撮像し画像処理１３により画像処理された画像データや着脱可能記録媒体２０から読み出した画像データを、画像圧縮／伸長部１１で画像データを圧縮処理または伸長処理を施すためや、表示部１５で表示するために一時格納するＶＲＡＭとしても用いられる。さらには、撮像した画像と共に関連付けて記録する属性情報を一時格納するＲＡＭとしても用いられる。属性情報は無線通信部２４より携帯端末２００から受信することができる。
【００２６】
デジタルビデオカメラ１００には、画像データを記録するための記録媒体を装着できる。そのために、着脱可能記録媒体Ｉ／Ｆ（１９）のインタフェースを有する。着脱可能記録媒体Ｉ／Ｆ（１９）はメモリカード等の着脱可能な記録媒体を挿入可能なスロットになっている。図１においては、着脱可能記録媒体Ｉ／Ｆ（１９）に着脱可能記録媒体（２０）が装着されている例を図示している。デジタルビデオカメラ１００では、着脱可能な記録媒体に画像データを記録する構成で説明したが着脱が不可能でデジタルビデオカメラ１００に内蔵されたメモリに画像データを記録する構成も考えられる。
【００２７】
画像処理部１３は、撮像部１２で撮像された画像データに、所定の画素補間、リサイズ処理や色変換処理を行う。また、画像処理部１９では撮像された画像データを用いて所定の演算処理が行われ、制御部１０は得られた演算結果に基づいて撮像部１２による撮像に関する各種制御（露光制御、オートホワイトバランス制御など）を行う。
【００２８】
画像圧縮／伸長部１１は画像処理部１９で画像処理された画像データを圧縮する処理や着脱可能記録媒体２０から読み出した画像データに対する伸長処理を行う。撮像部１２は、撮影レンズ（ズームレンズとフォーカスレンズ含む）と撮像素子を有し、制御部１０の制御に基づき被写体を撮像し、静止画や動画像データといった画像データを取得する。
【００２９】
表示部１５は、制御部１０の制御に基づき、各種設定状態や、撮像部１２で撮像されている画像、着脱可能記録媒体から読み出して再生した画像などを表示するためのディスプレイである。覗き込み形のファインダー内のディスプレイや、バリアングルの液晶モニタなどとして構成される。
【００３０】
操作部１６はデジタルビデオカメラ１００に電源を供給するための電源スイッチや、撮影開始ボタン、カメラモード（撮影モード）や再生モードに切り替え可能なモード切替ボタンなどを含む、ユーザからの操作を受け付ける操作部である。なお操作部１６にタッチパネルが含まれる場合、制御部１０はタッチパネルへの以下の操作を検出できる。タッチパネルを指やペンで触れたこと（以下、タッチダウンと称する）。タッチパネルを指やペンで触れている状態であること（以下、タッチオンと称する）。
【００３１】
タッチパネルを指やペンで触れたまま移動していること（以下、ムーブと称する）。タッチパネルへ触れていた指やペンを離したこと（以下、タッチアップと称する）。タッチパネルに何も触れていない状態（以下、タッチオフと称する）。これらの操作や、タッチパネル上に指やペンが触れている位置座標は制御部１０に通知され、制御部１０は通知された情報に基づいてタッチパネル上にどのような操作が行なわれたかを判定する。ムーブについてはタッチパネル上で移動する指やペンの移動方向についても、位置座標の変化に基づいて、タッチパネル上の垂直成分・水平成分毎に判定できる。
【００３２】
またタッチパネル上をタッチダウンから一定のムーブを経てタッチアップをしたとき、ストロークを描いたこととする。素早くストロークを描く操作をフリックと呼ぶ。フリックは、タッチパネル上に指を触れたままある程度の距離だけ素早く動かして、そのまま離すといった操作であり、言い換えればタッチパネル上を指ではじくように素早くなぞる操作である。所定距離以上を、所定速度以上でムーブしたことが検出され、そのままタッチアップが検出されるとフリックが行なわれたと判定できる。また、所定距離以上を、所定速度未満でムーブしたことが検出された場合はドラッグが行なわれたと判定するものとする。
【００３３】
タッチパネルは、抵抗膜方式や静電容量方式、表面弾性波方式、赤外線方式、電磁誘導方式、画像認識方式、光センサ方式等、様々な方式のタッチパネルのうちいずれの方式のものを用いても良い。
【００３４】
無線通信部１４は、制御部１０の制御に基づき、外部カメラやパーソナルコンピュータといった外部機器とデータの送受信を無線通信により行う。データはデジタルビデオカメラ１００の設定情報や操作情報などを送信し、デジタルビデオカメラ１００を操作するコマンドや画像データと共に記録する属性情報などを受信する。送受信可能なデータにはデジタル画像データやアナログ映像信号を含む。
【００３５】
図２において、制御部２１に対して以下の各構成部分が接続される。表示部２２、操作部２３、無線通信部２４、ＲＯＭ２５、ＲＡＭ２６。制御部と各構成部は互いにデータのやり取りを行うことができるようにされている。
【００３６】
制御部２１は、携帯端末２００のシステム全般を制御するシステム制御部である。制御部２１はＲＯＭ２５に記録されたプログラムをＲＡＭ２６に展開して実行することで、各構成部を制御し、後述のフローチャートを実行する。ＲＯＭ２５は、不揮発性の記録媒体であり、制御部２１が実行するプログラムを記憶している。ＲＡＭ２６は制御部２１のワークメモリとして用いられる揮発性の記録媒体である。
【００３７】
表示部２２は、制御部１０の制御に基づき、各種設定状態や、無線通信部２４より受信したデータ（デジタル画像データやアナログ映像信号を含む）などを表示するためのディスプレイである。操作部２３は携帯端末２００に電源を供給するための電源スイッチなど、ユーザからの操作を受け付ける操作部である。なお操作部２３は操作部１６と同様にタッチパネルを含む。
【００３８】
無線通信部２４は、制御部２１の制御に基づき、外部カメラやパーソナルコンピュータといった外部機器とデータの送受信を無線通信により行う。データはデジタルビデオカメラ１００の設定情報や操作情報などを受信し、デジタルビデオカメラ１００を操作するコマンドや画像データと共に記録する属性情報などを送信する。送受信可能なデータにはデジタル画像データやアナログ映像信号を含む。
【００３９】
＜第１の実施形態＞
図３は電源ON後に無線通信部１４によって属性情報を受信した後の属性情報の処理フローである。
【００４０】
属性情報を受信すると（S301）、携帯端末（２００）側で設定された強制属性情報処理モードが受信情報に含まれているかどうかを判別し（S302）、含まれていればS303、そうでなければS304に進む。S303では、現在の属性情報処理モードを強制属性情報処理モードで設定されたモードへ切り替える。S304においては、属性情報処理モードが次に記録される予定の画像情報に付加するモードであるかどうかを判別する。そうである場合にはS306、そうでなければS305の処理に進む。
【００４１】
S305においては、記録済みの画像に受信した属性情報を付加して記録し、処理を終了する（S307）。S306においては、次に記録される予定の画像情報に付加するために属性情報をバックアップし、処理を終了する（S307）。図４は、カメラ本体にて外部機器との通信状態に入った場合の情報送信のフローである。
【００４２】
この処理は基本的に一定間隔で行われる。処理が始まると（S401）、電源投入後にすでに属性情報を受信したことがあるかどうかを判別する（S402）。受信したことがあれば、S406に進み、属性情報処理モードを保持したままとする。受信したことが無ければ、処理S403に進む。S403では、直前に記録した画像情報があるかどうかを判別する。ここで、記録中の動画像情報に関しては、直前に記録した画像情報として扱ってもよい。あるいは、次回記録される画像情報として扱ってもよい。ここで、記録画像があれば、S404に進む。無ければS405に進む。
【００４３】
S404においては、直前に記録した画像情報に属性情報を付加するモードに切り替える。S405においては、次回記録される画像情報に属性情報を付加するモードに切り替える。以上のモード切替を行い、S407にてモード情報を送信し、処理を終了する（S408）。
【００４４】
図５は外部機器制御モードになったときの携帯端末２００の表示部２２に表示される画面の一例である。ここでは携帯端末２００で編集した属性情報をデジタルビデオカメラ１００に送信する操作を行う画面を説明する。属性情報編集画面４００はデジタルビデオカメラ１００で撮影したクリップに関連付けて記録する属性情報の編集を行いデジタルビデオカメラ１００へデータを送信する操作を行う画面である。ユーザは操作部２３に含まれる十字キーを操作して各項目の編集を行う。クリップタイトル４０１はクリップのタイトルを入力するフィールドである。
【００４５】
撮影者４０２はクリップを撮影した撮影者を入力するフィールドである。撮影場所４０３はクリップの撮影場所を入力するフィールドである。撮影内容はクリップの撮影内容を入力するフィールドである。Trans To Camボタン４０５は入力した属性情報をデジタルビデオカメラ１００に無線通信部２４を介して送信するボタンである。付加モード状態表示４０６は入力した属性情報が直前に撮影した画像情報に付加されるのか、これから撮影する画像情報に付加されるのか、を示すカメラ本体側の現在の属性情報処理モードを表示する。直前に撮影した画像情報に付加されるモードの場合には「Next Clip、これから撮影する画像情報に付加されるモードの場合にはPrev.Clipの表記がなされる。
【００４６】
送信確認画面４１０は、属性情報編集画面４００にてボタン４０５をクリックした場合に、前回送信した時の付加モード状態と変更があった場合に表示される確認画面である。ここで、自動的に切り替わった付加モードをユーザーに提示し、そのモードを保持したままで良ければOKを、モードを切り替える場合にはもう一方のボタンをクリックすることで、属性情報送信と共に強制属性情報処理モードの情報も付加して送信する。
【００４７】
図６における各処理は、携帯端末２００を構成する制御部２１がＲＯＭ２５に格納されたプログラムをＲＡＭ２６に展開して実行することにより実現される。
【００４８】
処理が開始されると（S601）、画面４００にて設定されている属性情報を取得する（S602）。その後、属性情報処理モードが、前回送信時から変更があったかどうかを判断する（S603）。変更がなければS607へ、変更があればS604へ進む。
【００４９】
S604では、送信確認画面４１０を表示する。その結果、ユーザーからの入力を判別し（S605）、処理モード切替があればS606へ、切り替えが無ければS607へ進む。S606では、強制属性情報処理モードを送信する属性情報に付加する。その後、S607にて属性情報と付加されていれば強制属性情報処理モードを送信し、処理を終了する（S608）。
【００５０】
（その他の実施例）
本発明は、上述の実施形態の１以上の機能を実現するプログラムを、ネットワーク又は記憶媒体を介してシステム又は装置に供給し、そのシステム又は装置のコンピュータにおける１つ以上のプロセッサーがプログラムを読出し実行する処理でも実現可能である。また、１以上の機能を実現する回路（例えば、ＡＳＩＣ）によっても実現可能である。
【符号の説明】
【００５１】
１０  制御部、１１  画像圧縮／伸長部、１２  撮像部、１３  画像処理部、
１４  無線通信部、１５  表示部、１６  操作部、１７  ＲＯＭ、１８  ＲＡＭ、
１９  着脱可能記録Ｉ／Ｆ、２０  着脱可能記録媒体、２１  制御部、２２  表示部、
２３  操作部、２４  無線通信部、２５  ＲＯＭ、２６  ＲＡＭ、
４０  着脱可能記録媒体検出部、５０  着脱可能記録Ｉ／Ｆ２、
５１  着脱可能記録媒体２、１００  デジタルビデオカメラ、２００  携帯端末、
４００  属性情報設定画面、４１０  属性情報送信時の確認画面
【図１】
2017085213.tif 000003
【図２】
2017085213.tif 000004
【図３】
2017085213.tif 000005
【図４】
2017085213.tif 000006
【図５】
2017085213.tif 000007
【図６】
2017085213.tif 000008